(57)【要約】【課題】眼に薬剤を適切に投与することができる薬剤付き支持体を提供する。【解決手段】眼に薬剤を投与するための薬剤付き支持体１は、薬剤及び水溶性ポリマーを含む薬剤層２と、薬剤層２の水溶性ポリマーよりも水溶性が高く設定された水溶性ポリマーを含む溶解分離層４と、持ち手となる支持体３とを備え、溶解分離層４を介して薬剤層２と支持体３とが反対側に接続されている。【選択図】図１
2014166350.tif 000002
【特許請求の範囲】
【請求項１】
薬剤及び水溶性ポリマーを含む薬剤層と、
前記薬剤層の水溶性ポリマーよりも水溶性が高く設定された水溶性ポリマーを含む溶解分離層と、
持ち手となる支持体とを備え、
前記溶解分離層を介して前記薬剤層と前記支持体とが反対側に接続される、眼に薬剤を投与するための薬剤付き支持体。
【請求項２】
前記薬剤層の全部または一部と前記溶解分離層の一部とが重なっている請求項１に記載の薬剤付き支持体。
【請求項３】
前記溶解分離層の一部と前記支持体の一部とが重なっている請求項２に記載の薬剤付き支持体。
【請求項４】
前記溶解分離層と前記支持体とが熱圧着または接着されている請求項１〜３のいずれか一項に記載の薬剤付き支持体。
【請求項５】
前記溶解分離層の水または生理食塩水に対する平均崩壊時間が６０秒以下である請求項１〜４のいずれか一項に記載の薬剤付き支持体。
【請求項６】
請求項１〜５記載の薬剤付き支持体を用いて眼表面に一定量の薬剤を投与する方法。
【発明の詳細な説明】
【技術分野】
【０００１】
本発明は、眼への薬剤投与用の薬剤付き支持体に関する。
【背景技術】
【０００２】
従来から眼科用剤として点眼剤が広く知られている。点眼剤の場合、点眼容器に収納された液体状の薬剤を滴下して投与することから、点眼容器の押圧力によって滴下量が異なり、意図していた滴下量を投与できないことがあった。
【０００３】
一方、眼に薬剤を一定量投与する手段としては、眼科用の固形組成物を眼に挿入する方法が知られている。この種の固形組成物は、１つの固形組成物に１回の投与に必要な薬剤成分が含有されているので、一定量投与することが可能となるが、該固形組成物を直接手にとって投与するため、滅菌状態を維持することが困難であった。
【０００４】
上述の課題を解決することを意図した眼科用剤として、特許文献１には、湿潤した生体表面に薬剤を投与するためのアプリケータが開示されている。つまり、このアプリケータにおいて、溶解性マトリックス中に薬剤成分を含有させたマトリックス層が、長細い帯形状を有した使い捨てのアプリケータの一端に設けられている。このマトリックス層の中途部に他の部分よりその厚さが薄い分離部が形成されている（特許文献１の図１参照）。このアプリケータでは、アプリケータの薬剤本体とは反対側の他端部を持って、薬剤本体を投与部位である生体表面に接触させることにより、他の部分より薄い分離部が溶解して薬剤本体がアプリケータから分離し、薬剤本体が投与されるので、薬剤を投与する際の滅菌状態を維持しつつ、一定量の薬剤を投与することが可能となる。
【先行技術文献】
【特許文献】
【０００５】
【特許文献１】特公平４−１１２２９号公報
【発明の概要】
【発明が解決しようとする課題】
【０００６】
しかしながら、元来それほど厚みのないマトリックス層において、他の部分より薄い分離部を形成することは、その加工が非常に困難であった。また、分離部を形成できたとしても、分離部の溶解度と他の部分の溶解度の差が充分ではなく、例えば、マトリックス層中の分離部よりも先端側で分離するなどして、必ずしも一定量の薬剤を投与することができなかった。
【０００７】
本発明は上述した背景に鑑みてなされたものであり、眼に一定量の薬剤を確実に投与することができる薬剤付き支持体を提供することにある。
【課題を解決するための手段】
【０００８】
本発明に係る眼に薬剤を投与するための薬剤付き支持体は、
薬剤及び水溶性ポリマーを含む薬剤層と、
前記薬剤層の水溶性ポリマーよりも水溶性が高く設定された水溶性ポリマーを含む溶解分離層と、
持ち手となる支持体とを備え、
前記溶解分離層を介して前記薬剤層と前記支持体とが反対側に接続されている。
【０００９】
本構成によれば、薬剤層および溶解分離層の形態は特に制限されないが、例えばフィルム状の形態を取ることが好ましく、また、支持体は薬剤付き支持体の持ち手となり、薬剤投与時のアプリケータとして利用することができる。したがって、本発明の薬剤付き支持体は、滅菌状態を維持したままで薬剤を投与することができる。
また、薬剤層と支持体との間に設けた溶解分離層の水溶性は、薬剤層の水溶性よりも高いことを特徴とする。このため、薬剤の投与時に、眼の表面で溶解分離層が薬剤層よりも先に溶解することによって、薬剤層が薬剤付き支持体から分離して眼の表面に投与される。この結果、一定量の薬剤（薬剤層）を確実に投与することができる。
上述のように、一定量の薬剤を確実に投与することができる薬剤付き支持体を提供することができる。
【００１０】
上記構成において、前記薬剤層の全部または一部と前記溶解分離層の一部とが重なっていると好適である。
【００１１】
薬剤層と溶解分離層との重なり（接触面積）を増加させることによって、薬剤層と溶解分離層との接続強度を増大させることができる。
【００１２】
また、前記溶解分離層と前記支持体もそれらの一部が重なっていると好適である。
薬剤層と溶解分離層および溶解分離層と支持体を重ねて接続することにより、薬剤層、溶解分離層および支持体を一体物として、接続強度を増大させることができる。
【００１３】
上記構成において、前記薬剤層と前記溶解分離層および前記溶解分離層と前記支持体は、熱圧着または接着することにより、確実に接続することが好ましい。
【００１４】
上記構成において、前記溶解分離層の平均崩壊時間（崩壊時間は一定サイズのフィルム状のマトリックスが水または生理食塩水に溶解するのに必要な時間）は６０秒以下、より好ましくは５０秒以下である。これは、溶解分離層の平均崩壊時間が６０秒を超えると薬剤付き支持体を用いて眼に薬剤を投与するのに時間がかかり過ぎるからである。
【００１５】
本構成により、溶解分離層が眼表面で素早く溶解することから、一定量の薬剤を迅速に眼表面に投与することができる。
【図面の簡単な説明】
【００１６】
【図１】本発明に係る薬剤付き支持体の一例を示す側面図である。
【図２】本発明に係る薬剤付き支持体の一例を示す上面図である。
【図３】薬剤付き支持体の使用状況を示す図である。
【図４】本発明の別実施形態に係る薬剤付き支持体を示す側面図である。
【図５】本発明の別実施形態に係る薬剤付き支持体を示す側面図である。
【図６】本発明の別実施形態に係る薬剤付き支持体を示す側面図である。
【図７】本発明の別実施形態に係る薬剤付き支持体を示す側面図である。
【図８】本発明の別実施形態に係る薬剤付き支持体を示す側面図である。
【図９】本発明の別実施形態に係る薬剤付き支持体を示す側面図である。
【発明を実施するための形態】
【００１７】
以下に、本発明に係る薬剤付き支持体１の実施形態について、図面に基づいて説明する。ただし、以下の実施形態に限定されることなく、その要旨を逸脱しない範囲内で種々の変形が可能である。
【００１８】
図１に示すように、この薬剤付き支持体１は、フィルム状の薬剤層２、フィルム状の溶解分離層４および持ち手となる支持体３から構成され、薬剤層２のサイズは特に制限されないが、例えば幅１〜４ｍｍ程度、長さ５〜１０ｍｍ程度、厚さ１〜３００μｍであることが好ましく、溶解分離層４のサイズは特に制限されないが、例えば幅１〜４ｍｍ程度、長さ３〜１０ｍｍ程度、厚さ１〜３００μｍであることが好ましく、また、支持体３のサイズは特に制限されないが、例えば幅１〜４ｍｍ程度、長さ１０〜６０ｍｍ程度、厚さは５０μｍ〜２ｍｍであることが好ましい。
【００１９】
支持体３は、例えば長細い長方形状を有し、滅菌状態を維持するための持ち手となる。支持体３の材質は特に限定されないが、紙製、プラスチック製、アルミニウム箔製等、適宜適用可能である。また、これらの複数の層を積層して支持体３を形成してもよい。
【００２０】
図１及び図２に示すように、溶解分離層４を介して薬剤層２と支持体３とが反対側に接続され、溶解分離層４は薬剤層２と支持体３との間に設けられる。より具体的には、薬剤層２及び溶解分離層４はそれぞれフィルム状のマトリックスであり、薬剤層２の下面の全部と溶解分離層４の上面の一部とを接着することによって接続し、また、溶解分離層４の下面の一部と支持体３の上面の一部とを熱圧着または接着することによって接続する。このように、薬剤層２と溶解分離層４および溶解分離層４と支持体３を重ねて接続し、夫々の接触面積を増加させることによって接続強度を増大させることができる。
なお、薬剤層２と溶解分離層４との接続方法および溶解分離層４と支持体３との接続方法は、熱圧着、接着以外の方法で接続しても差し支えない。
【００２１】
薬剤層２は、水溶性ポリマーおよび薬剤を含有するマトリックスから構成され、該マトリックス中には必要に応じてポリソルベート８０などの乳化剤やグリセリンなどの可塑剤を配合することができ、また、２種以上の水溶性ポリマーを混合したり、あるいは、２種以上の多層構造のマトリックスとすることもできる。
溶解分離層４は薬剤を含有しない水溶性ポリマーを含有するマトリックスから構成され、該マトリックス中には必要に応じて乳化剤や可塑剤を配合することができ、また、水溶性をより高めるためにマンニトール等の糖アルコールやオリゴマー、テロマーなどの分子量が大きくない水溶性高分子を添加したり、気泡を導入することもできる。必要に応じて、２種以上の水溶性ポリマーを混合することもできる。溶解分離層４を構成するマトリックスは、薬剤層２を構成するマトリックスよりも水溶性がより高くなるように設定する。このように、溶解分離層４の水溶性を、薬剤層２のそれよりも高くすることにより、投与時に涙液と接触すれば、溶解分離層４が薬剤層２よりも先に溶解する。また、薬剤層２よりも水溶性の高い溶解分離層４を設けることによって、投与時に薬剤層２の中途部から分離するなどの不具合の発生がなく、薬剤層２が薬剤付き支持体１から分離して眼表面に付着するため、一定量の薬剤を確実に投与することができる（図１〜３を参照）。
【００２２】
水溶性を示す指標として、実施例において詳述する一定サイズ[２×７ｍｍ、膜厚約３０μｍ]のフィルム状のマトリックスを用いた場合の水または生理食塩水に対する平均崩壊時間を適用することができる。例えば、薬剤層２を構成するマトリックスの平均崩壊時間は、特に制限されないが１００分以下が好ましい。
【００２３】
また、溶解分離層４を構成するフィルム状マトリックスの平均崩壊時間は、水または生理食塩水に対する溶解性が大きくなるほど溶解分離層４は眼表面の涙液によって溶解し易くなるので、特に制限されないが６０秒以下、より好ましくは５０秒以下である。これは、溶解分離層４の平均崩壊時間が６０秒を超えると薬剤付き支持体１を用いて眼に薬剤を投与するのに時間がかかり過ぎるからである。すなわち、溶解分離層４の平均崩壊時間を６０秒以下に設定することで、溶解分離層４が眼表面の涙液に素早く溶解し、一定量の薬剤を迅速に眼表面に投与することができる。
【００２４】
薬剤層２を構成するフィルム状マトリックスの平均崩壊時間は、溶解分離層４を構成するフィルム状マトリックスの平均崩壊時間よりも大きく、その差は、特に限定はされないが１秒以上が好ましく、より好ましくは２秒以上である。つまり、平均崩壊時間の差を上記に設定することにより、投与時に眼の表面で溶解分離層４が薬剤層２よりも先に溶解し、薬剤付き支持体１から薬剤層２を分離して眼の表面に投与することができる。また、薬剤層２と溶解分離層４の一部とが積層して接続する場合には、薬剤層２の平均崩壊時間と溶解分離層４の平均崩壊時間との合計が溶解分離層４の平均崩壊時間よりも大きく、より好ましくは２秒以上大きくなるように設定することにより、眼の表面で溶解分離層４を薬剤層２と溶解分離層４の積層体よりも先に溶解させることができる。
【００２５】
上記を踏まえ、薬剤層２を構成するマトリックスとしては、水溶性のマトリックスであれば特に限定されないが、例えばセルロース系水溶性ポリマー、アクリレート系ポリマー、ポリビニルピロリドン、ポリビニルアルコール、ポリ（エチレンオキシド）、多糖類等が挙げられ、具体的にはＣＭＣダイセル１２０５(平均崩壊時間１０秒、ダイセルファインケム社製)、ＰＬＡＳＤＯＮＥ  Ｋ−９０（平均崩壊時間１１秒、ＡＳＨＬＡＮＤ社製）、ＨＰＣ-Ｌ（平均崩壊時間２７秒、日本曹達社製）、ゴーセノールＥＧ-０５（平均崩壊時間２９秒、日本合成化学社製）、ＴＣ-５Ｓ（平均崩壊時間３４秒、信越化学社製）、メトローズ６０ＳＨ-５０（平均崩壊時間４３秒、信越化学社製）、メトローズＳＭ１５（平均崩壊時間１３８秒、信越化学社製）、メトローズＳＭ１００（平均崩壊時間１６２秒、信越化学社製）、セルニーＭ（平均崩壊時間２８７秒、日本曹達社製）、キミカアルギンＩＬ-２（平均崩壊時間３３２秒、キミカ社製）、ＨＥＣダイセルＳＥ４００（平均崩壊時間１８００秒以上、ダイセルファインケム社製)などの水溶性ポリマーを含むものが好適に用いられる。
【００２６】
また、溶解分離層４を構成するマトリックスとしては、例えばセルロース系水溶性ポリマー、ポリビニルピロリドン、ポリビニルアルコール等が挙げられ、具体的にはＣＭＣダイセル１２０５(平均崩壊時間１０秒、ダイセルファインケム社製)、ＰＬＡＳＤＯＮＥ  Ｋ−９０（平均崩壊時間１１秒、ＡＳＨＬＡＮＤ社製）、ＨＰＣ-Ｌ（平均崩壊時間２７秒、日本曹達社製）、ゴーセノールＥＧ-０５（平均崩壊時間２９秒、日本合成化学社製）、ＴＣ-５Ｓ（平均崩壊時間３４秒、信越化学社製）、メトローズ６０ＳＨ-５０（平均崩壊時間４３秒、信越化学社製）などの水溶性の高いポリマーを含むものが好適に用いられる。
【００２７】
薬剤層２を構成するマトリックスと溶解分離層４を構成するマトリックスとの組み合わせは、特に限定されないが、薬剤層２を構成するマトリックスとしては、例えばＨＰＣ-Ｌ、メトローズＳＭ１５などの水溶性ポリマーを含み、また、溶解分離層４を構成するマトリックスとしては、例えばＰＬＡＳＤＯＮＥ  Ｋ−９０、ＣＭＣダイセル１２０５などのより水溶性の高い水溶性ポリマーを含むのが好適である。
【００２８】
次に、この薬剤付き支持体１の使用方法について説明する。薬剤層２を眼表面に投与する場合を例に挙げて説明するが、例えば、角膜、眼瞼結膜又は結膜襄等の前眼部に投与される。図３に示すように、使用者は、薬剤付き支持体１の薬剤層２が設けられた側の端部とは反対側の支持体３の端部近傍を指で摘み、薬剤層２を投与部位に近づける。本実施形態では、一方の手の指で下眼瞼を引き下げて結膜を露出させるとともに、他方の手の指で支持体３のうち薬剤層２が設けられた側とは反対側の端部近傍部位を摘んで、薬剤層２及び溶解分離層４を眼表面に近づけて露出した結膜に接触させる。この際、溶解分離層４の水溶性は、薬剤層２の水溶性よりも高いので、溶解分離層４が涙液で溶解する結果として薬剤層２は支持体３から速やかに分離して眼表面に付着する。このように、この薬剤付き支持体１では薬剤層２の中途部分で分離することがなく、一定量の薬剤（薬剤層２）を確実に投与することができる。
【００２９】
［別実施形態］
本発明に係る薬剤付き支持体１の別実施形態を図４〜図９に示す。図４は、薬剤層２の下面の一部と溶解分離層４の上面の一部とが接続され、また、溶解分離層４の下面の一部と支持体３の上面の一部とが接続されている。図５は、薬剤層２の下面の全部と溶解分離層４の上面の一部とが接続され、また、溶解分離層４の上面の一部と支持体３の下面の一部とが接続されている。図６は、薬剤層２の下面の一部と溶解分離層４の上面の一部とが接続され、また、溶解分離層４の上面の一部と支持体３の下面の一部とが接続されている。図７は、薬剤層２の下面の全部と溶解分離層４の上面の一部とが接続され、また、溶解分離層４の上下面と支持体３の上下面とは重なり合うことなく接続されている。図８は、薬剤層２、溶解分離層４および支持体３の上下面はどれも重なり合うことなく接続されている。図９は、薬剤層２の下面の全部と溶解分離層４の上面の一部とが接続され、また、２つの支持体３が溶解分離層４を挟み込む形態である。図９においては支持体３と溶解分離層４は必ずしも熱圧着または接着することを要しない。
【００３０】
[実験例]
（１）フィルム状マトリックスの平均崩壊時間の測定方法および測定結果
水溶性ポリマーとしてＣＭＣダイセル１２０５［ポリマーＡ］ １８．０％（ｗ／ｗ）、可塑剤としてグリセリン １．６２％（ｗ／ｗ）、乳化剤としてポリソルベート８０ ０．０９％（ｗ／ｗ）となるように、水溶性ポリマー（ＣＭＣダイセル１２０５）、可塑剤（グリセリン）および乳化剤（ポリソルベート８０）を溶媒（水）に溶解させて試料１を作製した。また、同様の操作を行って水溶性ポリマーとしてＰＬＡＳＤＯＮＥ Ｋ−９０［ポリマーＢ］、ＨＰＣ−Ｌ［ポリマーＣ］、ゴーセノールＥＧ−０５［ポリマーＤ］、ＴＣ−５Ｓ［ポリマーＥ］、メトローズ６０ＳＨ−５０［ポリマーＦ］、メトローズＳＭ１５［ポリマーＧ］、メトローズＳＭ１００［ポリマーＨ］、セルニーＭ［ポリマーＩ］、キミカアルギンＩＬ−２［ポリマーＪ］およびＨＥＣダイセルＳＥ４００［ポリマーＫ］を溶媒（水、エタノール、水とエタノールの混合液）に溶解させ、また、必要に応じて可塑剤としてグリセリンを、また、乳化剤としてポリソルベート８０を添加して表１に示すように試料２〜１１を作製した。ついで、試料１〜１１をポリプロピレンフィルムのベース材上にアプリケータを用いて厚さ約３０μｍとなるように塗布して温風で乾燥させた。つぎに、得られた各フィルム状マトリックスを２×７ｍｍの大きさに細切し、室温下１０ｍLの生理食塩水中に浸漬し、フィルム状マトリックスの崩壊時間[マトリックスが完全に溶解し、消失するまでの時間]を計測した。結果を表１に示す。なお、試料１〜１１から得られた各フィルム状マトリックスの平均崩壊時間は、３回測定したときの崩壊時間の平均値である。
【表１】
2014166350.tif 000003
【００３１】
（２）薬剤付き支持体の作製
代用薬剤としてフルオレセインナトリウム１０％（ｗ／ｗ）となるように、フルオレセインナトリウムを各試料［試料１、３、６、７、１０、１１］に添加して薬剤層用塗工液を作製した。この薬剤層用塗工液をポリプロピレンフィルムのベース材上にアプリケータを用いて厚さ約３０μｍ、幅７ｍｍとなるように塗布して温風で乾燥させた。つぎに、このベース材に塗布した薬剤層の上に溶解分離層用塗工液（試料１、２、６、１０、１１）をアプリケータを用いて厚さ約３０μｍ、幅約５０ｍｍとなるように塗布し、薬剤層の上に溶解分離層を形成し、温風で乾燥させて各積層フィルムを得た。ベース材から各積層フィルムを分離し、積層フィルムと支持体（セパレート紙）を粘着剤で接続した後、得られた薬剤付き支持体を２×５０ｍｍの大きさに細切した。表２に実施例１〜４および比較例１〜２の各薬剤層や各溶解分離層を構成する水溶性ポリマーの種類とその平均崩壊時間を示す。
【００３２】
（３）ウサギを用いた眼への投与試験
正常ウサギ（♂、日本白色種、北山ラベス）の右眼下眼瞼結膜中央に、上記（２）で作製した各薬剤付き支持体の溶解分離層側を１０秒間押しつけた後、回収してウサギ結膜部に薬剤層の全量が投与できたかどうかを目視により判定した。ウサギ結膜部に薬剤層の全量が投与できた場合を「１」、また、薬剤層を全く投与できないか、一部しか投与できなかった場合は「０」として、本操作を３回繰り返した場合の合計点を算出した。表２に結果を示す。なお、実施例１〜２は、薬剤層２の下面の全部と溶解分離層４の上面の一部とが接続された図１の形態の薬剤付き支持体であり、また、実施例３〜４及び比較例１〜２は、薬剤層２の下面の一部と溶解分離層４の上面の一部とが接続された図４の形態の薬剤付き支持体である。
【表２】
2014166350.tif 000004
実施例１〜４の薬剤付き支持体は、１０秒以内に薬剤層が支持体から分離され、その全量をウサギ結膜部に投与できた。
したがって、本発明の薬剤付き支持体を用いれば、眼に一定量の薬剤を確実に投与できる。
【産業上の利用可能性】
【００３３】
本発明は、眼への薬剤投与用の薬剤付き支持体に適用可能である。
【符号の説明】
【００３４】
１      薬剤付き支持体
２      薬剤層
３      支持体
４      溶解分離層
【図１】
2014166350.tif 000005
【図２】
2014166350.tif 000006
【図３】
2014166350.tif 000007
【図４】
2014166350.tif 000008
【図５】
2014166350.tif 000009
【図６】
2014166350.tif 000010
【図７】
2014166350.tif 000011
【図８】
2014166350.tif 000012
【図９】
2014166350.tif 000013